(57)【要約】【課題】低湿度環境と高湿度環境とを容易に切り替える。【解決手段】栽培対象の植物（Ｐ）を収容する栽培容器（２０）と、前記植物（Ｐ）に光を照射する照明装置（３０）と、前記植物（Ｐ）が栽培される空間である栽培空間（Ｇ）を保湿するための保湿位置と、前記栽培空間（Ｇ）を外部に開放する換気位置とに切り替え可能に備えられた防湿シート（４０）とを備える。【選択図】図３
2017070246.tif 000002
【特許請求の範囲】
【請求項１】
栽培対象の植物を収容する栽培容器と、
前記植物が栽培される空間である栽培空間を保湿するための保湿位置と、前記栽培空間を外部に開放する換気位置とに切り替え可能に備えられた防湿シートとを備えていることを特徴とする植物栽培装置。
【請求項２】
前記植物に光を照射する照明装置を備え、
前記防湿シートは、前記照明装置による光の照射を中断する期間である暗期に保湿位置に切り替えられ、前記照明装置によって前記植物に光を照射する期間である明期に換気位置に切り替えられることを特徴とする請求項１に記載の植物栽培装置。
【請求項３】
前記防湿シートは、前記換気位置において前記照明装置から前記植物への光の照射を阻害しない位置に配置されることを特徴とする請求項２に記載の植物栽培装置。
【請求項４】
前記照明装置は、前記防湿シートによって保湿される空間に配置されていることを特徴とする請求項２または３に記載の植物栽培装置。
【請求項５】
前記植物は被収穫部分が前記栽培容器の外部に垂れ下がる植物であり、
前記防湿シートは、前記保湿位置において前記被収穫部分が当該防湿シートによって保湿される空間の外部に露出するように配置されることを特徴とする請求項１から４のいずれか１項に記載の植物栽培装置。
【発明の詳細な説明】
【技術分野】
【０００１】
本発明は、植物栽培装置に関するものである。
【背景技術】
【０００２】
従来、植物工場等の閉鎖空間では、空調等により温度および湿度の制御を行いながら植物を栽培している。
【０００３】
また、特許文献１には、茸類の菌を植え付けた菌床を載せる複数の棚段を備えた生育ラックの周囲全周を、ラック内が密閉状態になるようにカバーで覆うことにより、菌床の生育に伴って放出される水分でカバー内の湿度を高く保つ技術が開示されている。
【０００４】
また、特許文献２には、植物類を生産する植物工場の上部に照明設備を設け、照明設備の下部に設置された栽培台の上に透明材料製の仕切カバーを設け、空調装置およびＣＯ２供給装置からの管路を仕切カバーの内部に連通させることにより、温度、湿度、およびＣＯ２濃度の調整を行う空間を制限して植物生育に適した環境維持のためのエネルギ消費量を抑制する技術が開示されている。
【先行技術文献】
【特許文献】
【０００５】
【特許文献１】特開２００５−７３６７３号公報（２００５年３月２４日公開）
【特許文献２】特開平６−３０６６０号公報（１９９４年２月８日公開）
【発明の概要】
【発明が解決しようとする課題】
【０００６】
ところで、例えばイチゴ等の植物の栽培においては、明期と暗期とを周期的に繰り返すとともに、明期には光合成を促進するために換気を行って植物の周囲を低湿度環境とし、暗期には植物の周囲を高湿度環境にすることにより、生育を促進できることが知られている。
【０００７】
また、イチゴ等の植物をビニールハウス等で太陽光により栽培する場合には暗期に温度が低下することにより湿度が自然に上昇して高湿度状態になるが、植物栽培工場等で照明装置の光により栽培する場合に高湿度状態を実現するためには、加湿器等で人工的に高湿度状態を作り出す必要があることが知られている。
【０００８】
ところが、上記特許文献１，２の技術では、明期と暗期とで湿度条件を異ならせることについては考慮されておらず、植物周囲の空間がカバーによって常に密閉状態にされている。
【０００９】
このため、上記特許文献１，２の技術では、明期と暗期とで湿度条件を異ならせる必要のある植物を栽培する場合に、植物の生育を適切に促進させることができない場合がある。
【００１０】
また、特許文献１，２の技術では、カバー内が常に高湿度状態に維持されるので、（ｉ）植物にカビや病気が発生しやすいという問題、および（ｉｉ）カバーによって密閉される空間に各種機器（例えば、温度センサ、湿度センサ、照度センサ、ＣＯ２濃度センサ、照明装置、空調装置など）が配置されている場合に、それらの機器が劣化しやすいという問題もある。
【００１１】
本発明は、上記の問題点に鑑みて成されたものであり、その目的は、植物を栽培する栽培空間を低湿度環境と高湿度環境とに容易に切り替えることのできる植物栽培装置を提供することにある。
【課題を解決するための手段】
【００１２】
本発明の一態様にかかる植物栽培装置は、栽培対象の植物を収容する栽培容器と、前記植物が栽培される空間である栽培空間を保湿するための保湿位置と、前記栽培空間を外部に開放する換気位置とに切り替え可能に備えられた防湿シートとを備えていることを特徴としている。
【発明の効果】
【００１３】
上記の構成によれば、防湿シートの位置を切り替えることにより、栽培空間を保湿状態（高湿度環境）と換気状態（低湿度環境）とに容易に切り替えることができる。
【図面の簡単な説明】
【００１４】
【図１】本発明の実施形態１にかかる植物栽培装置の概略構成を示す斜視図である。
【図２】図１の植物栽培装置に備えられる栽培棚の断面図であり、（ａ）は防湿シートを保湿位置に配置した状態、（ｂ）は防湿シートを換気位置に配置した状態を示している。
【図３】（ａ）は図１の植物栽培装置において防湿シートを保湿位置に配置した状態を示す説明図であり、（ｂ）は換気位置に配置した状態を示す説明図である。
【図４】本発明の実施形態２にかかる植物栽培装置を示す説明図であり、（ａ）は防湿シートを保湿位置に配置した状態、（ｂ）は防湿シートを換気位置に配置した状態を示している。
【図５】本発明の実施形態３にかかる植物栽培装置を示す説明図であり、（ａ）は防湿シートを保湿位置に配置した状態を示す断面図、（ｂ）〜（ｄ）は防湿シートを保湿位置から換気位置に移動させるときの状態を示す側面図である。
【図６】本発明の実施形態３にかかる植物栽培装置の制御系の構成を示すブロック図である。
【発明を実施するための形態】
【００１５】
〔実施形態１〕
本発明の一実施形態について説明する。
【００１６】
なお、本実施形態では、後述する植物栽培装置１００を用いてイチゴを栽培する場合について説明するが、栽培対象の植物はイチゴに限るものではない。また、本実施形態では、１または複数の植物栽培装置１００を植物栽培工場の栽培室内に配置し、後述する照明装置３０から照射する光で植物の栽培を行う場合について説明するが、これに限るものではない。
【００１７】
（１−１．植物栽培装置１００の概略構成）
図１は本実施形態にかかる植物栽培装置１００の概略構成を示す斜視図である。また、図２は植物栽培装置１００に備えられる栽培棚１０における当該栽培棚１０の延伸方向に垂直な断面の断面図であり、（ａ）は植物栽培装置１００に備えられる防湿シート４０を保湿位置に配置した状態、（ｂ）は防湿シート４０を換気位置に配置した状態を示している。なお、図１では、説明の便宜上、防湿シート４０の図示を省略している。
【００１８】
図１および図２に示したように、植物栽培装置１００は、栽培棚（ラック）１０と、栽培容器２０と、照明装置３０とを備えている。
【００１９】
栽培棚１０は、鉛直方向に延伸する４本の支柱部１１ａ〜１１ｄと、支柱部１１ａの上端と支柱部１１ｂの上端、および支柱部１１ｃの上端と支柱部１１ｄの上端をそれぞれ接続する２本の連結部１２と、支柱部１１ａの上端と支柱部１１ｃの上端、および支柱部１１ｂの上端と支柱部１１ｄの上端をそれぞれ接続する２本の連結部１３とを備えている。本実施形態では、連結部１３の方が連結部１２よりも長くなっており、それによって略直方体状の栽培棚１０が形成されている。
【００２０】
また、支柱部１１ａと支柱部１１ｃとの間には、鉛直方向に沿って所定間隔を隔てて３本の栽培容器支持棒１４ａが水平方向に延伸するように取り付けられている。また、支柱部１１ｂと支柱部１１ｄとの間における各栽培容器支持棒１４ａに対して水平方向に対向する位置には、栽培容器支持棒１４ｂがそれぞれ水平方向に延伸するように取り付けられている。
【００２１】
また、水平方向に対向する栽培容器支持棒１４ａ，１４ｂには、栽培容器２０が引掛けられている。具体的には、栽培容器２０は、図２の（ａ）および（ｂ）に示したように、当該栽培容器２０の延伸方向に垂直な断面における水平方向両側の側面の形状が、下方へ向かうほど幅が狭くなり、かつ外側に凸の曲線形状（いわゆる、おわん型形状）になっており、これら両側面の上端部には水平方向外側に突出する引掛部２１がそれぞれ設けられている。引掛部２１は、栽培容器支持棒１４ａ，１４ｂの外形に応じた形状になっており、引掛部２１を栽培容器支持棒１４ａ，１４ｂに引掛けることにより、栽培容器２０が栽培容器支持棒１４ａ，１４ｂに支持されている。
【００２２】
なお、本実施形態では、各栽培棚１０に栽培容器２０を３つ配置した構成について説明するが、栽培容器２０の設置個数はこれに限るものではなく、例えば各栽培棚１０に４つ以上の栽培容器２０を配置してもよい。また、栽培容器支持棒１４ａ，１４ｂの数は、栽培容器２０の設置個数に応じて適宜変更すればよい。また、栽培容器２０の材質は特に限定されるものではなく、例えば、樹脂、金属、木材などを用いることができる。また、栽培容器２０は、柔軟性を有するシート状の部材からなるものであってもよい。また、栽培容器２０に培地や植物を直接収容してもよく、培地や植物を収容した容器（例えば植木鉢など）を栽培容器２０に収容するようにしてもよい。
【００２３】
また、支柱部１１ａと支柱部１１ｃとの間、および支柱部１１ｂと支柱部１１ｄとの間における、各栽培容器支持棒１４ａ，１４ｂから上方に所定距離だけ離れた位置には、水平方向に延伸する照明装置支持棒１５ａ，１５ｂがそれぞれ取り付けられている。
【００２４】
また、各照明装置支持棒１５ａ，１５ｂには、水平方向（当該照明装置支持棒１５ａ，１５ｂの延伸方向）に沿って所定距離を隔てて複数（本実施形態では２つ）の照明装置取付部１５ｃが取り付けられている。各照明装置取付部１５ｃは、図１に示したように、照明装置支持棒１５ａ，１５ｂの延伸方向に垂直かつ水平方向に延伸しており、一端側が照明装置支持棒１５ａに取り付けられ、他端側が照明装置支持棒１５ｂに取り付けられている。また、各照明装置取付部１５ｃにおける栽培容器２０との対向面には、照明装置３０が取り付けられている。
【００２５】
なお、本実施形態では、栽培棚１０の各部（支柱部１１ａ〜１１ｄ、連結部１２、栽培容器支持棒１４ａ，１４ｂ、照明装置支持棒１５ａ，１５ｂ、および照明装置取付部１５ｃ）を、既製品のアルミニウム製構造材で構成している。これにより、組立を容易に行うことができ、コストを低減することができる。ただし、栽培棚１０の各部の材質はこれに限るものではなく、他の材質からなる部材を用いてもよい。
【００２６】
また、照明装置３０は、それぞれＬＥＤ（light emitting diode；発光ダイオード）を光源とする複数本の照明灯３１を備えている。各照明灯３１は、照明装置支持棒１５ａ，１５ｂの延伸方向（栽培容器２０の延伸方向）に略平行な方向に沿って延伸する形状を有しており、互いにわずかな隙間を隔てて配置されている。なお、照明灯３１の光源はＬＥＤに限るものではなく、例えば蛍光灯などの他の光源を用いてもよい。また、各照明灯３１の配置方法についても特に限定されるものではない。
【００２７】
なお、本実施形態では、照明装置３０に備えられる各照明灯３１のオン／オフを制御することにより、照明装置３０による光の照射を中断する期間である暗期と、照明装置３０によって植物に光を照射する期間である明期とを切り替えるようになっている。
【００２８】
（１−２．防湿シート）
図２の（ａ）および（ｂ）に示したように、植物栽培装置１００は、各段の栽培容器２０に対応して防湿シート４０を備えている。
【００２９】
防湿シート４０は、水蒸気を透過しない性質を有するシート状の部材であり、図２の（ａ）に示す保湿位置と、図２の（ｂ）に示す換気位置とに移動可能に配置されている。また、本実施形態では、明期には防湿シート４０を換気位置に配置し、暗期には防湿シート４０を保湿位置に配置する。
【００３０】
防湿シート４０の材質は、水蒸気の通過を防止あるいは抑制することができるものであれば特に限定されるものではなく、例えば、ポリエチレン、塩化ビニルなどを用いることができる。なお、防湿シート４０として、酸素や二酸化炭素を通過させる一方、水蒸気および水滴の通過を防止あるいは抑制する材料からなるシートを用いてもよい。
【００３１】
図２の（ａ）に示したように、防湿シート４０を保湿位置に配置した状態では、栽培容器２０と当該栽培容器２０の上方に配置された照明装置３０との間の植物を栽培する空間である栽培空間Ｇにおける栽培容器２０の延伸方向に平行な両側面および上面に防湿シート４０が配置され、栽培空間Ｇがその外部の空間から概ね遮蔽される。なお、栽培空間Ｇにおける栽培容器２０の延伸方向に垂直な両側面についても防湿シート４０あるいは他の部材で遮蔽するようにしてもよい。
【００３２】
上記の構成により、防湿シート４０を保湿位置に配置することで、植物あるいは培地から蒸発する水分が栽培空間Ｇの外部に放散されることを抑制し、栽培空間Ｇを保湿することができる。なお、防湿シート４０は、保湿位置において栽培空間Ｇから外部への水分の拡散を抑制できればよく、必ずしも栽培空間Ｇを完全に密閉する必要はない。
【００３３】
また、図２の（ｂ）に示したように、換気位置では、最上段の栽培容器２０に対応する防湿シート４０は折り畳まれて照明装置取付部１５ｃ上に載置され、２段目および３段目の栽培容器２０に対応する防湿シート４０は折り畳まれて照明装置取付部１５ｃあるいは照明装置支持棒１５ａ，１５ｂに取り付けられた収納フック（保持部）４１に引っ掛けられて収容される。
【００３４】
なお、収納フック４１の材質および形状は、防湿シート４０を換気位置で保持できるものであれば特に限定されるものではない。また、収納フック４１は、照明装置取付部１５ｃあるいは照明装置支持棒１５ａ，１５ｂに常時取り付けられていてもよく、防湿シート４０を換気位置に配置するときに照明装置取付部１５ｃあるいは照明装置支持棒１５ａ，１５ｂに取り付けるようにしてもよい。
【００３５】
また、最上段の栽培容器２０に対応する防湿シート４０についても、２段目および３段目と同様、収納フック４１を用いて収容するようにしてもよい。また、２段目および３段目の栽培容器２０に対応する防湿シート４０を、最上段と同様、照明装置取付部１５ｃ上に載置するようにしてもよい。
【００３６】
図２の（ｂ）に示したように、防湿シート４０を換気位置に配置した状態では、栽培空間Ｇの両側面が当該栽培空間Ｇの外部に露出される。これにより、栽培空間Ｇはその外部の空間と連通して換気される。
【００３７】
図３の（ａ）は保湿位置における防湿シート４０および植物Ｐの状態を示す説明図であり、図３の（ｂ）は換気位置における防湿シート４０および植物Ｐの状態を示す説明図である。
【００３８】
図３の（ａ）に示すように、本実施形態では、防湿シート４０を保湿位置に配置したときに、防湿シート４０の下端と栽培容器２０との間に隙間が形成され、この隙間からイチゴの果実（被収穫部分）ｆが防湿シート４０によって保湿される空間の外部に露出するようになっている。また、図３の（ｂ）に示すように、換気状態では、植物Ｐの側方が開放されて栽培空間Ｇが外部に開放され、換気される。
【００３９】
〔実施形態２〕
本発明の他の実施形態について説明する。なお、説明の便宜上、上述した実施形態と同じ機能を有する部材には同じ符号を付し、その説明を省略する。
【００４０】
図４は、本実施形態にかかる植物栽培装置１００における栽培容器２０およびその周囲の断面図であり、（ａ）は防湿シート４０が保湿位置に配置されている状態、（ｂ）は防湿シート４０が換気位置に配置されている状態を示している。
【００４１】
図４の（ａ）および（ｂ）に示すように、本実施形態では、照明装置支持棒１５ａ，１５ｂの近傍に、照明装置支持棒１５ａ，１５ｂと略平行に延伸する巻取部材４２が配置されており、栽培空間Ｇの上面（照明装置３０および照明装置取付部１５ｃの上面）は防湿シート４０によって覆われている。
【００４２】
巻取部材４２は軸方向を中心として回転可能に備えられており、巻取部材４２の外周面の一部に防湿シート４０が取り付けられている。
【００４３】
これにより、巻取部材４２を回転させて巻取部材４２に巻き付けられた防湿シート４０を引き出して下方に垂らすことにより、図４の（ａ）に示したように、防湿シート４０が保湿位置に配置される。また、巻取部材４２を回転させて防湿シート４０を巻取部材４２に巻き取ることにより、図４の（ｂ）に示すように、防湿シート４０が換気位置に配置される。
【００４４】
なお、防湿シート４０の位置を保湿位置と換気位置とに切り替える際に巻取部材４２を回転させる方法は特に限定されるものではない。例えば、巻取部材４２を手動により回転させるようにしてもよい。また、巻取部材４２を回転駆動するためのモータやギア等からなる駆動手段を備えておき、その駆動手段の動作を制御することにより巻取部材４２を回転させてもよい。
【００４５】
〔実施形態３〕
本発明のさらに他の実施形態について説明する。なお、説明の便宜上、上述した実施形態と同じ機能を有する部材には同じ符号を付し、その説明を省略する。
【００４６】
図５の（ａ）は本実施形態にかかる植物栽培装置１００における栽培容器２０およびその周囲の断面図であり、（ｂ）から（ｄ）は防湿シート４０を保湿位置から換気位置へ移動させる処理を示す説明図である。
【００４７】
図５の（ａ）に示すように、本実施形態では、照明装置支持棒１５ａ，１５ｂの近傍に、照明装置支持棒１５ａ，１５ｂと略平行に延伸するレール４３が配置されており、栽培空間Ｇの上面（照明装置３０および照明装置取付部１５ｃの上面）は防湿シート４０によって覆われている。
【００４８】
また、レール４３には当該レール４３の延伸方向に沿って移動可能な複数のランナー４４が備えられており、これら複数のランナー４４に防湿シート４０が取り付けられている。あるいは、防湿シート４０の端部に複数のフック（図示せず）を取り付け、それら複数のフックをランナー４４に引っ掛けるようにしてもよい。
【００４９】
これにより、図５の（ｂ）に示したように保湿位置に配置されている防湿シート４０を、図５の（ｃ）および（ｄ）に示すようにレール４３に沿って移動させることで、換気位置に移動させることができる。また、その逆の動作を行うことにより、防湿シート４０を換気位置から保湿位置に移動させることができる。
【００５０】
〔実施形態４〕
本発明のさらに他の実施形態について説明する。なお、説明の便宜上、上述した実施形態と同じ機能を有する部材には同じ符号を付し、その説明を省略する。
【００５１】
図６は、本実施形態にかかる植物栽培装置１００の制御系の構成を示すブロック図である。この図に示すように、植物栽培装置１００は、制御部５０、照明装置３０、シート移動装置（移動装置）５１、タイマー５２、および設定入力部５３を備えている。
【００５２】
シート移動装置５１は、モータおよびギア等からなり（いずれも図示せず）、制御部５０の指示に応じて防湿シート４０の位置を保湿位置と換気位置とに移動させる。シート移動装置５１の構成は、防湿シート４０の位置を保湿位置と換気位置とに移動させることができる構成であれば特に限定されるものではない。例えば、シート移動装置５１は、図４に示したように、防湿シート４０を巻き上げたり引き出したりすることにより、保湿位置と換気位置とに移動させる構成であってもよい。また、シート移動装置５１は、図５に示したように、防湿シート４０を水平方向に移動させることにより、保湿位置と換気位置とに移動させる構成であってもよい。
【００５３】
タイマー５２は、制御部５０の指示に応じて時刻を計時する。また、設定入力部５３は、ユーザからの指示を受け付けて制御部５０に伝達する。
【００５４】
制御部５０は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することで植物栽培装置１００の各部の動作を制御する。
【００５５】
例えば、制御部５０は、設定入力部５３を介して入力されるユーザからの指示に応じて、明期および暗期の時間を設定する。そして、制御部５０は、タイマー５２の計時結果に応じて明期と暗期とを切り替え、明期には照明装置３０を点灯させるとともにシート移動装置５１によって防湿シート４０を換気位置に移動させ、暗期には照明装置３０を消灯させるとともに防湿シート４０を保湿位置に移動させる。
【００５６】
これにより、明期と暗期とを自動的に切り替えさせることができるので、ユーザの作業負担を軽減することができる。
【００５７】
なお、本実施形態では、明期および暗期の２段階の期間を設ける場合について説明したが、これに限らず、例えば明期と暗期との中間の期間を設けるなど、３段階以上の期間を設定してもよい。また、制御部５０が、照明装置３０およびシート移動装置５１の動作制御に加えて、植物栽培装置１００が配置されている栽培室（図示せず）内の温度および湿度を調整する空調装置の動作を制御するようにしてもよい。
【００５８】
〔まとめ〕
本発明の態様１にかかる植物栽培装置１００は、栽培対象の植物Ｐを収容する栽培容器２０と、前記植物Ｐが栽培される空間である栽培空間Ｇを保湿するための保湿位置と、前記栽培空間Ｇを外部に開放する換気位置とに切り替え可能に備えられた防湿シート４０とを備えていることを特徴としている。
【００５９】
上記の構成によれば、防湿シート４０の位置を切り替えることにより、栽培空間Ｇを保湿状態と換気状態とに容易に切り替えることができる。
【００６０】
本発明の態様２にかかる植物栽培装置１００は、上記態様１において、前記植物Ｐに光を照射する照明装置３０を備え、前記防湿シート４０は、前記照明装置３０による光の照射を中断する期間である暗期に保湿位置に切り替えられ、前記照明装置３０によって前記植物Ｐに光を照射する期間である明期に換気位置に切り替えられる構成である。
【００６１】
上記の構成によれば、明期に植物Ｐの周囲の換気を促進させて光合成を促進させ、暗期に植物Ｐの周囲を高湿度環境にすることにより、植物の生育を促進させることができる。
【００６２】
本発明の態様３にかかる植物栽培装置１００は、上記態様２において、前記防湿シート４０は、前記換気位置において前記照明装置３０から前記植物Ｐへの光の照射を阻害しない位置に配置される構成である。
【００６３】
上記の構成によれば、防湿シート４０によって照明装置３０から植物Ｐへの照射光量が低下することを防止できる。
【００６４】
本発明の態様４にかかる植物栽培装置１００は、上記態様２または３において、前記照明装置３０は、前記防湿シート４０によって保湿される空間に配置されている構成である。
【００６５】
上記の構成によれば、上記照明装置３０が配置される空間を換気状態において外部に開放し、換気することができるので、照明装置３０が常に高湿度環境に配置される場合に比べて、上記照明装置３０の劣化を抑制することができる。
【００６６】
本発明の態様５にかかる植物栽培装置１００は、上記態様１から４のいずれかにおいて、前記植物Ｐは被収穫部分（果実ｆ）が前記栽培容器２０の外部に垂れ下がる植物であり、前記防湿シート４０は、前記保湿位置において前記被収穫部分（果実ｆ）が当該防湿シート４０によって保湿される空間の外部に露出するように配置される構成である。
【００６７】
上記の構成によれば、防湿シート４０が前記保湿位置に配置されているときでも被収穫部分（果実ｆ）が保湿空間の外部に配置されるので、被収穫部分（果実ｆ）にカビの付着や病気の発生などの不具合が生じることを抑制できる。
【００６８】
本発明の態様６にかかる植物栽培装置１００は、上記態様１から５のいずれかにおいて、前記防湿シート４０の位置を前記保湿位置と前記換気位置との間で移動させる移動装置（シート移動装置５１）を備えている構成である。
【００６９】
上記の構成によれば、防湿シート４０の位置を前記保湿位置と前記換気位置との間で容易に移動させることができる。
【００７０】
本発明の態様７にかかる植物栽培装置１００は、上記態様２から４のいずれかにおいて、前記栽培容器２０および前記照明装置３０を支持するラック（栽培棚１０）を備え、前記防湿シート４０は、前記換気位置において、前記照明装置３０または前記ラック（栽培棚１０）における前記照明装置３０の上方の位置に載置されるか、あるいは前記照明装置３０または前記ラック（栽培棚１０）に取り付けられた保持部（収納フック４１）に保持される構成である。
【００７１】
上記の構成によれば、換気位置に配置された防湿シート４０を適切に保持することができる。
【００７２】
本発明の態様８にかかる植物栽培装置１００は、上記態様１から７のいずれかにおいて、前記防湿シート４０は、シート面に略平行な方向にスライドさせるか、あるいは巻き取ることにより、前記保湿位置から前記換気位置に切り替えられる構成である。
【００７３】
上記の構成によれば、防湿シート４０の位置を保湿位置から換気位置に容易に切り替えることができる。
【００７４】
本発明の態様９にかかる植物栽培方法は、栽培対象の植物Ｐを収容する栽培容器２０と、前記植物Ｐが栽培される空間である栽培空間の周囲に配置された防湿シート４０とを備えた植物栽培装置１００を用いて植物を栽培する植物栽培方法であって、前記防湿シート４０の位置を、前記栽培空間を保湿するための保湿位置と、前記栽培空間を外部に開放する換気位置とに切り替える切替工程を含むことを特徴としている。
【００７５】
上記の方法によれば、防湿シート４０の位置を切り替えることにより、栽培空間Ｇを保湿状態（高湿度環境）と換気状態（低湿度環境）とに容易に切り替えることができる。
【００７６】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することもできる。
【符号の説明】
【００７７】
１０  栽培棚（ラック）
１１ａ〜１１ｄ  支柱部
１２  連結部
１３  連結部
１４ａ、１４ａ  栽培容器支持棒
１５ａ、１５ａ  照明装置支持棒
１５ｃ  照明装置取付部
２０  栽培容器
２１  引掛部
３０  照明装置
３１  照明灯
４０  防湿シート
４１  収納フック（保持部）
４２  巻取部材
４３  レール
４４  ランナー
５０  制御部
５１  シート移動装置（移動装置）
５２  タイマー
５３  設定入力部
１００  植物栽培装置
ｆ  果実（被収穫部分）
Ｇ  栽培空間
【図１】
2017070246.tif 000003
【図２】
2017070246.tif 000004
【図３】
2017070246.tif 000005
【図４】
2017070246.tif 000006
【図５】
2017070246.tif 000007
【図６】
2017070246.tif 000008